(57)【要約】【課題】利用者の趣向に対応したコミュニケーションの促進に適した構造の端末装置およびコンピュータプログラムを実現する。【解決手段】端末装置は、ユーザーの操作に関連づけられたキーワードを保存する保存手段と、前記保存手段に保存された前記キーワードを抽出して集計する集計手段と、前記集計手段により集計された前記キーワードを保持するキーワード保持手段を備えている。また、プロフィール交換によって、他のキーワード保持手段が保持するキーワードを受信して、その受信したキーワードと、自己のキーワード保持手段が保持するキーワードとを照合して共通するキーワードを抽出し、抽出された前記キーワードの一覧を作成する第１の一覧作成手段、を備える。【選択図】図１
2009181256.tif 000002
【特許請求の範囲】
【請求項１】
複数の端末装置間でプロフィール交換する端末装置において、
ユーザーの操作に関連づけられたキーワードを保存する保存手段と、
前記保存手段に保存された前記キーワードを抽出して集計する集計手段と、
前記集計手段により集計された前記キーワードを保持するキーワード保持手段と、
他の端末装置と通信してプロフィール交換を行う通信手段と、
前記プロフィール交換により、前記他の端末装置の前記キーワード保持手段により保持されたキーワードを受信する受信手段と、
前記受信手段により受信された前記キーワードと、前記キーワード保持手段により保持された前記キーワードとを照合して共通するキーワードを抽出し、抽出された前記キーワードの一覧を作成する第１の一覧作成手段と、
前記キーワードの一覧を表示させるキーワード表示手段と、
を備えることを特徴とする端末装置。
【請求項２】
請求項１に記載の端末装置において、
前記保存手段は、ユーザーがアプリケーションを選択する操作をしたときに、該アプリケーションに予め設定されたキーワードを関連づけて保存することを特徴とする端末装置。
【請求項３】
請求項１または２に記載の端末装置において、
前記保存手段は、ユーザーがアプリケーションを起動して文字入力する操作を行ったときに、入力された文字に含まれるキーワードを保存することを特徴とする端末装置。
【請求項４】
請求項１乃至３いずれかに記載の端末装置において、
他の端末装置と通信してプロフィールを交換するための開示用プロフィールを作成する開示用プロフィール作成手段と、
をさらに備えることを特徴とする端末装置。
【請求項５】
請求項１乃至４いずれかに記載の端末装置において、
前記他の端末装置と通信して他の端末装置を識別する識別手段と、
前記識別手段による識別に応じた条件に基づいて開示用プロフィールの作成をするように制御する制御手段と、
をさらに備えることを特徴とする端末装置。
【請求項６】
請求項１乃至５いずれかに記載の端末装置において、
前記集計手段は、集計された前記キーワードを並び替えることを特徴とする端末装置。
【請求項７】
請求項１乃至６いずれかに記載の端末装置において、
前記他の端末装置のデータを属性別に登録する登録部と、
前記登録部に登録された前記他の端末装置のデータに含まれるキーワード保持手段が保持するキーワードと、一のキーワード保持手段が保持するキーワードと、を照合して共通するキーワードを検索し、共通するキーワードを保持するキーワード保持手段を備えた前記他の端末装置の属性を表示する一覧を作成する第２の一覧作成手段と、
をさらに備えることを特徴とする端末装置。
【請求項８】
請求項７に記載の端末装置において、
前記登録部から検索語を検索する検索手段と、
前記検索手段により検索された検索語を含む前記他の端末装置データに対応する属性をリスト表示させるリスト表示手段と、
をさらに備えることを特徴とする端末装置。
【請求項９】
複数の端末装置間でプロフィール交換する端末装置の情報処理ためのコンピュータプログラムであって、
ユーザーの操作に関連づけられたキーワードを保存する保存手段と、
前記保存手段に保存された前記キーワードを抽出して集計する集計手段と、
前記集計手段により集計された前記キーワードを保持するキーワード保持手段と、
他の端末装置と通信してプロフィール交換を行う通信手段と、
前記プロフィール交換により、前記他の端末装置の前記キーワード保持手段により保持されたキーワードを受信する受信手段と、
前記受信手段により受信された前記キーワードと、前記キーワード保持手段により保持された前記キーワードとを照合して共通するキーワードを抽出し、抽出された前記キーワードの一覧を作成する第１の一覧作成手段と、
前記キーワードの一覧を表示させるキーワード表示手段と、
を備える前記端末装置に実行させるためのコンピュータプログラム。
【請求項１０】
請求項９に記載のコンピュータプログラムにおいて、
前記保存手段は、ユーザーがアプリケーションを選択する操作をしたときに、該アプリケーションに予め設定されたキーワードを関連づけて保存することを特徴とするコンピュータプログラム。
【請求項１１】
請求項９または１０に記載のコンピュータプログラムにおいて、
前記保存手段は、ユーザーがアプリケーションを起動して文字入力する操作を行ったときに、入力された文字に含まれるキーワードを保存することを特徴とするコンピュータプログラム。
【請求項１２】
請求項９乃至１１いずれかに記載のコンピュータプログラムにおいて、
前記端末装置は、
他の端末装置と通信してプロフィールを交換するための開示用プロフィールを作成する開示用プロフィール作成手段と、
をさらに備えることを特徴とするコンピュータプログラム。
【請求項１３】
請求項９乃至１２いずれかに記載のコンピュータプログラムにおいて、
前記端末装置は、
前記他の端末装置と通信して他の端末装置を識別する識別手段と、
前記識別手段による識別に応じた条件に基づいて開示用プロフィールの作成をするように制御する制御手段と、
をさらに備えることを特徴とするコンピュータプログラム。
【請求項１４】
請求項９乃至１３いずれかに記載のコンピュータプログラムにおいて、
前記集計手段は、集計された前記キーワードを並び替えることを特徴とするコンピュータプログラム。
【請求項１５】
請求項９乃至１４いずれかに記載のコンピュータプログラムにおいて、
前記端末装置は、
前記他の端末装置のデータを属性別に登録する登録部と、
前記登録部に登録された前記他の端末装置のデータに含まれるキーワード保持手段が保持するキーワードと、一のキーワード保持手段が保持するキーワードと、を照合して共通するキーワードを検索し、共通するキーワードを保持するキーワード保持手段を備えた前記他の端末装置の属性を表示する一覧を作成する第２の一覧作成手段と、
をさらに備えることを特徴とするコンピュータプログラム。
【請求項１６】
請求項１５に記載のコンピュータプログラムにおいて、
前記端末装置は、
前記登録部から検索語を検索する検索手段と、
前記検索手段により検索された検索語を含む前記他の端末装置データに対応する属性をリスト表示させるリスト表示手段と、
をさらに備えることを特徴とするコンピュータプログラム。
【発明の詳細な説明】
【技術分野】
【０００１】
本発明は、端末装置およびコンピュータプログラムに関する。
【背景技術】
【０００２】
携帯電話端末を利用したコミュニケーション方法の一つとして、複数の携帯電話端末においてプロフィールの交換が行われている。携帯電話端末の趣向を向上するために、ユーザーの利用履歴からユーザーの趣向を導く技術が知られている（たとえば特許文献１乃至３）。
【特許文献１】特開２００２−１５７２７０号公報
【特許文献２】特開２００２−１６５００９号公報
【特許文献３】特開２００６−３０４１０９号公報
【発明の開示】
【発明が解決しようとする課題】
【０００３】
しかしながら、上記文献に記載の技術では、ユーザー操作による各種アプリケーションの利用情報を収集して保存し、一元に管理していないため、十分なユーザーの趣向を得る点で改善の余地があった。
【課題を解決するための手段】
【０００４】
本発明による複数の端末装置間でプロフィールを交換する端末装置は、
ユーザーの操作に関連づけられたキーワードを保存する保存手段と、
前記保存手段に保存された前記キーワードを抽出して集計する集計手段と、
前記集計手段により集計された前記キーワードを保持するキーワード保持手段と、
他の端末装置と通信してプロフィール交換を行う通信手段と、
前記プロフィール交換により、前記他の端末装置の前記キーワード保持手段により保持されたキーワードを受信する受信手段と、
前記受信手段により受信された前記キーワードと、前記キーワード保持手段により保持された前記キーワードとを照合して共通するキーワードを抽出し、抽出された前記キーワードの一覧を作成する第１の一覧作成手段と、
前記キーワードの一覧を表示させるキーワード表示手段と、
を備えることを特徴とする。
【０００５】
この端末装置においては、ユーザーの操作に関連づけられたキーワードを保存する保存手段と、前記保存手段に保存された前記キーワードを抽出して集計する集計手段と、前記集計手段により集計された前記キーワードを保持するキーワード保持手段を備えている。また、プロフィール交換によって、他のキーワード保持手段が保持するキーワードを受信して、その受信したキーワードと、自己のキーワード保持手段が保持するキーワードとを照合して共通するキーワードを抽出し、抽出された前記キーワードの一覧を作成する第１の一覧作成手段、を備えている。かかる構造の端末装置によれば、ユーザーの操作をキーワード化して保存でき、保存したキーワードを集計することによって、ユーザーの趣向を導くことができる。そしてこのようなユーザーの趣向を表したキーワードを、プロフィール交換時に受信することで、相手の趣向と自己の趣向とを照合でき、共通するキーワードから両者に共通する趣向や話題を得ることができる。このため、ユーザー同士の趣向に対応したコミュニケーションが可能となり、コミュニケーションの促進が実現できる。
【０００６】
本発明による、複数の端末装置間でプロフィール交換する端末装置の情報処理ためのコンピュータプログラムは、
ユーザーの操作に関連づけられたキーワードを保存する保存手段と、
前記保存手段に保存された前記キーワードを抽出して集計する集計手段と、
前記集計手段により集計された前記キーワードを保持するキーワード保持手段と、
他の端末装置と通信してプロフィール交換を行う通信手段と、
前記プロフィール交換により、前記他の端末装置の前記キーワード保持手段により保持されたキーワードを受信する受信手段と、
前記受信手段により受信された前記キーワードと、前記キーワード保持手段により保持された前記キーワードとを照合して共通するキーワードを抽出し、抽出された前記キーワードの一覧を作成する第１の一覧作成手段と、
前記キーワードの一覧を表示させるキーワード表示手段と、
を備える前記端末装置を実行する。
【０００７】
このコンピュータプログラムが実行する端末装置においては、ユーザーの操作に関連づけられたキーワードを保存する保存手段と、前記保存手段に保存された前記キーワードを抽出して集計する集計手段と、前記集計手段により集計された前記キーワードを保持するキーワード保持手段を備えている。また、プロフィール交換によって、他のキーワード保持手段が保持するキーワードを受信して、その受信したキーワードと、自己のキーワード保持手段が保持するキーワードとを照合して共通するキーワードを抽出し、抽出された前記キーワードの一覧を作成する第１の一覧作成手段、を備えている。かかる構造の端末装置を実行させるコンピュータプログラムによれば、ユーザーの操作をキーワード化して保存でき、保存したキーワードを集計することによって、ユーザーの趣向を導くことができる。そしてこのようなユーザーの趣向を表したキーワードを、プロフィール交換時に受信することで、相手の趣向と自己の趣向とを照合でき、共通するキーワードから両者に共通する趣向や話題を得ることができる。このため、ユーザー同士の趣向に対応したコミュニケーションが可能となり、コミュニケーションの促進が実現できる。
【発明の効果】
【０００８】
本発明によれば、利用者の趣向に対応したコミュニケーションの促進に適した構造の端末装置およびコンピュータプログラムが実現される。
【発明を実施するための最良の形態】
【０００９】
以下、図面を参照しつつ、本発明による携帯電話端末の好適な実施形態について詳細に説明する。なお、図面の説明においては、同一要素には同一符号を付し、重複する説明を省略する。また、本実施形態においては、プロフィール送受信・読み取り機能、ブラウザ、メーラー、ゲーム、通話機能、カメラ、チャット機能、およびレコーダーの詳細な構成は省略する。また、本実施形態において、プロフィール交換方法および通信方法は特に限定されない。
【００１０】
（第１実施形態）
図１は、本発明による第１実施形態を示す携帯電話端末の機能ブロック図である。
図１に示すように、複数の携帯電話端末間でプロフィールを交換する携帯電話端末１００は、
ユーザーの操作に関連づけられたキーワードを保存する保存部１１０と、
保存部１１０に保存されたキーワードを抽出して集計する集計部１２０と、
集計部１２０により集計されたキーワードを保持するキーワード保持部１４０と、
他の携帯電話端末と通信してプロフィール交換を行う通信部１３１と、
プロフィール交換により、他の携帯電話端末のキーワード保持部１４０により保持されたキーワードを受信する受信部１３０と、
受信部１３０により受信されたキーワードと、キーワード保持部１４０により保持されたキーワードとを照合して共通するキーワードを抽出し、抽出されたキーワードの一覧を作成する第１の一覧作成部１５０と、
キーワードの一覧を表示させるキーワード表示部１６０と、
を具備している。
【００１１】
保存部１１０は、ユーザーの操作に関連づけられたキーワードを保存する。たとえば、ユーザーがアプリケーションを選択する操作をしたときに、該アプリケーションに予め設定されたキーワードを関連づけて保存することもできる。また、ユーザーがアプリケーションを起動して文字入力する操作を行ったときに、入力された文字に含まれるキーワードを保存することもできる。
【００１２】
ユーザーの操作は、アプリケーションの選択操作をした場合はアプリケーション選択履歴として、またはアプリケーションを起動して文字入力をした場合は入力履歴として保存されてもよい。たとえば、電話帳１１１、スケジュール、などの各種アプリケーションの選択履歴、および検索キーワード、メール件名、メール本文、スケジュール件名として入力された文字、または電話帳１１１及びメモ帳などを利用して入力した文字の入力履歴を保存する。また、保存されるデータの保存（蓄積）期間または保存データの容量は適宜規定でき、規定に達したら古い履歴から自動的に削除される。
【００１３】
保存部１１０に保存されるデータとしては、特に限定されないが、たとえば、音楽、ラジオの視聴履歴、Ｗｅｂ閲覧履歴、楽曲検索履歴、ゲーム利用履歴、買い物履歴、プレゼント履歴、内臓辞書履歴などの利用履歴、画像、音楽、ゲームなどの選択履歴、ブックマーク、予定、記念日、電話帳、プロフィール、ブログ本文、検索語、送受信メール、通話、計算、入力、コピー、データ引用、などが挙げられる。
【００１４】
電話帳１１１（登録部）は、自己のプロフィールとして、個人情報、自己のキーワードなどを保存する。また、他の携帯電話端末のデータを属性別に登録する。すなわち、登録者の氏名別、グループ別などの属性に応じてデータを保存する。他の携帯電話端末のデータとして、その登録者のプロフィール、プロフィールに含まれるキーワード一覧、などが挙げられる。
【００１５】
スケジュールは、記念日、面会日、およびブログデータなどを保存する。
【００１６】
ユーザーの操作に関連づけられるキーワードは、任意に設定できる。
ユーザーがアプリケーションを選択する操作をしたときに、該アプリケーションに予め設定することもでき、のちに解除することもできる。また、ユーザーがアプリケーションを起動して文字入力する操作を行ったときに、入力された文字において、いずれの文字をキーワードとするかも、任意に設定でき、のちに解除することもできる。このようなキーワードとしては、特に限定されないが、例えば、「こんにちは」、「誕生日」などが挙げられる。
【００１７】
集計部１２０は、保存部１１０に保存されたキーワードを抽出して集計する。抽出されたキーワードが多いほど、キーワードの利用回数が多い。すなわち、利用回数の多いキーワードほど、ユーザーの趣向を表している。
【００１８】
キーワードの利用回数は、一定回数まで（例えば、累計３００回まで）と設定できる。また、キーワードの利用回数の多い順（例えば、上位３０位）に集計できる。これにより、ユーザーの興味の傾向を導くことができる。
【００１９】
また、利用回数が一定回数を超えたら、その回数分の中での上位のキーワードについてのみ集計することもできる。この場合、上位のキーワードが削除されると、次の順位のキーワードを繰り上げて集計する。集計されたキーワードは、キーワード保持部１４０に保持される。
【００２０】
また、集計部１２０は、キーワードの利用回数が多い順に並び替えを行うこともできる。また、集計部１２０は、電話帳１１１と連携しているため、電話帳１１１に保存されたプロフィールの登録及び更新、プロフィール開示条件設定と連携することにより、電話帳１１１の各項目に最新のデータに基づいて集計できる。
【００２１】
キーワード保持部１４０は、キーワードの利用回数の降順に保持することもできる。保持する順位及び保持する期間は任意に設定することができる。また、集計部１２０の集計によってキーワード保持部１４０の更新も行われるため、キーワード保持部１４０も最新のデータに基づいてキーワードを保持できる。キーワード保持部１４０は、携帯電話端末１００の電話帳１１１内で、自己のプロフィールの登録、更新操作、および、集計部１２０と連携している。
【００２２】
通信部１３１は、他の携帯電話端末と通信して、プロフィールなどのデータ交換を行うことができる。たとえば、メール赤外線、Ｂｌｕｅｔｏｏｔｈ，Ｆｅｌｉｃａ、およびバーコードリーダーなどが挙げられる。
【００２３】
以上のように構成された携帯電話端末１００における機能について図２，３のフローチャートを参照して説明する。なお、初期状態として、携帯電話端末１００は、電話帳１１１、スケジュールなどの各種アプリケーションの選択に対応したキーワードが設定されている。例えば、スケジュール帳には、予め「誕生日」というキーワードが設定されている。
【００２４】
図２は、保存部１１０および集計部１２０の動作を示すフローチャートである。
まず、保存部１１０はユーザーの操作に関連づけられたキーワードを保存する（ステップ２１）。
例えば、ユーザーがスケジュール帳を選択すると、アプリケーション選択の操作に関連づけられたキーワード「誕生日」を保存する。また、ユーザーがメールの本文に入力した「誕生日おめでとう」といった入力履歴を保存する。
【００２５】
集計部１２０は、保存部１１０に保存されたキーワードを抽出して集計する（ステップ２２）。
例えば、キーワードとして「誕生日」が設定されていた場合、保存部１１０から「誕生日」を検索し、「誕生日」の抽出数を集計する。抽出された「誕生日」の数が２の場合は、キーワード「誕生日」の利用回数を２回とする。
【００２６】
キーワード保持部１４０は、集計部１２０により集計されたキーワードを保持する（ステップ２３）。
【００２７】
電話帳１１１は、キーワード保持部１４０が保持するキーワードをプロフィールに保存する（ステップ２４）。ユーザーが参照できるように保存できる。
【００２８】
続けて、携帯電話端末１００の通信部１３１は、他の携帯電話端末と通信してプロフィール交換を行う。
【００２９】
図３は、プロフィール交換時の動作を示すフローチャートである。
キーワード保持部１４０は、ユーザーが参照できる形で自己のプロフィールにキーワードを保持している。すなわち、電話帳１１１の自己のプロフィールに保存されている。プロフィール交換用のプロフィールの内容は、予め設定されていてもよい。
【００３０】
通信部１３１は、他の携帯電話端末と通信してプロフィール交換を行う（ステップ３１）。
【００３１】
識別部１８０は、他の携帯電話端末を識別する（ステップ３２）。
【００３２】
さらに、制御部１８１は、識別部１８０による識別に応じた条件に基づいて開示用プロフィールの作成をするように開示用プロフィール作成部１７０を制御する。これにより、設定条件にあった開示用プロフィールを作成する（ステップ３３）。
【００３３】
続いて、受信部１３０は、他の携帯電話端末のプロフィールを受信する（ステップ３４）。他のプロフィールには、キーワード保持部１４０により保持されたキーワードが含まれている。
【００３４】
電話帳１１１は、受信した他のプロフィールを登録者別に保存する（ステップ３５）。プロフィールには、登録者の趣向を表したキーワードが含まれている。
【００３５】
続いて、第１の一覧作成部１５０は、受信部１３０により受信されたキーワードと、キーワード保持部１４０により保持されたキーワードとを照合して（ステップ３６）、共通するキーワードを抽出し、抽出されたキーワード一覧を作成する（ステップ３７）。
【００３６】
電話帳１１１は、作成されたキーワード一覧をその登録者のプロフィールに保存する（ステップ３８）。キーワード一覧は、その登録者の話題一覧（共通点一覧）として、参照される。キーワード表示部１６０（ブラウザ）は、保存されたキーワード一覧を表示する（ステップ３９）。
ユーザーはキーワード一覧を参照することにより、相手との共通点が容易に把握することができる。
【００３７】
本実施形態における携帯電話端末１００の効果について説明する。
携帯電話端末１００においては、ユーザーの操作に関連づけられたキーワードを保存する保存部１１０と、保存部１１０に保存されたキーワードを抽出して集計する集計部１２０と、集計部１２０により集計されたキーワードを保持するキーワード保持部１４０を備えている。また、プロフィール交換によって、他のキーワード保持部１４０が保持するキーワードを受信して、その受信したキーワードと、自己のキーワード保持部１４０が保持するキーワードとを照合して共通するキーワードを抽出し、抽出されたキーワードの一覧を作成する第１の一覧作成部１５０、を備えている。かかる構造の携帯電話端末１００によれば、ユーザーの操作をキーワード化して保存でき、保存したキーワードを集計することによって、ユーザーの趣向を導くことができる。そしてこのようなユーザーの趣向を表したキーワードを、プロフィール交換時に受信することで、相手の趣向と自己の趣向とを照合して、共通するキーワードから両者に共通する趣向や話題を得ることができる。このため、ユーザー同士の趣向に対応したコミュニケーションが可能となり、コミュニケーションの促進が実現できる。
【００３８】
また、保存部１１０に保存されるデータはユーザーによる操作の最新のデータであるため、このようなデータに基づいてキーワードを集計して表示することにより、ユーザーの最新の傾向を表示することができる。これにより、タイムリーな話題を提供できる。
【００３９】
さらに、携帯電話端末１００は、自己と他の携帯電話端末に含まれるキーワードを一対一で照合するため、相手によってカスタマイズされた話題を提供できる。
【００４０】
さらに、アプリケーション利用履歴、入力履歴のいずれもの利用履歴に基づいてキーワードを検索し、傾向を分析しているので、より適切な傾向分析が行え、参照される話題一覧が広範囲かつより具体的なものになる。こうすることによって、相手との話題候補が適切に行われコミュニケーションが促進できる。
【００４１】
本実施形態においては、携帯電話端末１００は、開示用プロフィール作成部１７０を備えている。開示用プロフィール作成部１７０は、他の携帯電話端末と通信してプロフィールを交換するための開示用プロフィールを作成するため、開示したくないプロフィールを除外することができ、また相手の趣向により応じた話題が提供できる。
【００４２】
さらに、開示用プロフィールは、電話帳１１１の登録者ごと、用途ごとの少なくともいずれかで設定できる。登録者は、さらにグループごとに設定することができ、グループごとに開示用プロフィールを保存することもできる。また、プロフィールの更新時に応じて更新することもでき、またプロフィールの更新に関わらず更新することも更新しないこともできる。
【００４３】
本実施形態においては、携帯電話端末１００は、識別部１８０を備えている。識別部１８０は、他の携帯電話端末と通信して他の携帯電話端末を識別するため、受信したプロフィールを携帯電話端末の属性に応じて保存できる。
【００４４】
本実施形態においては、携帯電話端末１００は、制御部１８１を備えている。制御部１８１は、識別部１８０による識別に応じた条件に基づいて開示用プロフィールの作成をするように制御する。これにより、開示したくないプロフィールを誤って送信してしまうことを防げる。また、通信相手に適した開示用プロフィールを自動的に作成できる。開示条件設定は、予め電話帳１１１に登録された登録者ごと、またはグループ化するなどして設定することができる。
【００４５】
さらに、本実施形態においては、携帯電話端末１００を利用したプロフィール交換時における話題の利用にあたり、電話帳１１１の登録者ごとのプロフィールを参照することができる。すなわち、プロフィールに含まれる話題一覧を参照または引用しながら、相手と会話、メール、通話、チャット、ゲーム、ブログ書き込み、およびプレゼントなどをすることができる。これにより、より円滑なコミュニケーションが行われる。
【００４６】
さらに、本実施形態においては、ユーザーの任意の操作としてキーワード表示部１６０に表示された話題一覧のキーワードをクリックし、ｗｅｂ検索を実行し、その結果を参照または引用できる。
【００４７】
尚、本実施形態において、キーワード表示部１６０は、待ち受け常駐キャラクターなどのエージェントシステムで構成してもよい。その場合、常駐キャラクターが相手と話題一覧を待ち受け画面に表示し、ユーザーにコミュニケーションを促すことができる。
【００４８】
さらに携帯電話端末１００は、第２の一覧作成部２１０をさらに備える。
第２の一覧作成部２１０は、電話帳１１１に登録された他の携帯電話端末のデータに含まれるキーワード保持部１４０が保持するキーワードと、一のキーワード保持部１４０が保持するキーワードと、を照合して共通するキーワードを検索し、共通するキーワードを保持するキーワード保持部１４０を備えた登録者名を表示する一覧を作成する。
【００４９】
図４は、本発明による携帯電話端末１００の動作を示すフローチャートである。図４を用いて、第２の一覧作成部２１０が登録者名を表示する一覧を作成するまでの携帯電話端末１００の動作について説明する。
【００５０】
まず、プロフィール交換時に受信した他のキーワード保持部１４０が保持するキーワードと、すでに電話帳１１１に登録されている他のキーワード保持部１４０が保持するキーワードとを照合し（ステップ４１）、共通のキーワードを検索し、共通するキーワードを保持するキーワード保持部１４０を抽出し、抽出されたキーワードを保持するキーワード保持部１４０に対応する登録者名のリストを表示する（ステップ４２）。
【００５１】
これにより、プロフィール交換相手のキーワードと同じキーワードを有する登録者名を表示することができる。すなわち、プロフィール交換相手の趣向に応じて電話帳１１１のグループを新規に作成したり、プロフィール交換相手を既存のグループに登録することができる。
【００５２】
また、プロフィール交換した相手と似た趣向を持つ人を、電話帳１１１に登録されている人のなかから検索できるため、そのリスト表示された登録者から友人を紹介することもできる。
【００５３】
登録者のリスト表示は、キーワード保持部１４０が保持する共通するキーワードが多い順に表示することもでき、また、電話帳１１１の登録者名のリストとして５０音順に表示することもできる。
【００５４】
本実施形態において、紹介方法としては、たとえばメールの送受信や赤外線通信などが挙げられるが、特に限定されない。
【００５５】
さらに携帯電話端末１００は、電話帳１１１から検索語を検索する検索部３０１と、検索部３０１により検索された検索語を含む登録者名をリスト表示させるリスト表示部３０２と、をさらに備える。
【００５６】
検索部３０１は、ユーザーが任意に入力した検索語を携帯電話端末３００が保存する電話帳１１１から、検索する。電話帳１１１には、他の携帯電話端末のデータが保存されている。
【００５７】
他の携帯電話端末のデータには、他のユーザーの属性（氏名、グループ名など）とプロフィール交換によって受信したキーワード一覧が含まれる。すなわち、一定期間変わらない属性と、変わりやすい趣向を示すデータが含まれる。
【００５８】
リスト表示部３０２は、この検索部３０１の検索結果を、検索部３０１により検索された結果を検索語を保持する登録者のリストとして表示画面に表示させる。すわなち、電話帳１１１の登録者の氏名をリストとして５０音順に表示させることができる。これにより、質問したい相手を検索することができる。質問したい相手の電話帳１１１を選択し、メールを送信したり、電話をかけて通話することができる。
【００５９】
また、その相手の登録された電話帳１１１には、質問回数１回が記録される記録部を備えていてもよい。これにより、登録者リストを登録者への質問回数順に表示画面に表示させることができる。
【００６０】
図５は、本発明による携帯電話端末１００の動作を示すフローチャートである。
図５を用いて、リスト表示部３０２が、検索部３０１により検索された検索語を含む登録者名をリスト表示させるまでの携帯電話端末１００の動作について説明する。携帯電話端末１００は、検索部３０１を起動して検索ワードを入力すると、以下のように機能する。
【００６１】
まず、検索部３０１が、電話帳１１１に保存されたデータから検索語を検索する（ステップ５３）。
【００６２】
検索結果を、検索部３０１により検索された結果を検索語を保持する登録者のリスト５０音順に表示画面に表示する（ステップ５４）。
【００６３】
表示画面に表示された登録者名のリストから任意に登録者が選択され、選択された登録者へメールの作成または通話が行われたかを判断する。（ステップ５５）。
【００６４】
登録者へのメールの作成または通話が行われたと判断した場合、登録者への質問がされたとして、その質問相手の電話帳１１１に質問回数１回を記録する（ステップ５６）。
【００６５】
検索部３０１は、登録者の趣味や特技などの一定期間変わらない属性と変わりやすい趣向を示すデータとの両方を検索するため、質問したいことに対する情報をもっている可能性が高い人を抽出することができる。これにより、質問への回答が得られやすいという効果を奏する。
【００６６】
本発明による携帯電話端末は、上記実施形態に限定されるものではなく、様々な変形が可能である。本実施形態においては、携帯電話端末を用いた場合について説明したが、これに限られない。たとえば、電子手帳、パーソナルコンピュータなどの情報処理装置等であって、通信機能を有する装置であればよい。また、本発明による携帯電話端末を実行させるコンピュータプログラムが実現できる。
【図面の簡単な説明】
【００６７】
【図１】本発明による携帯電話端末の機能ブロック図である。
【図２】本発明による携帯電話端末の動作を示すフローチャートである。
【図３】本発明による携帯電話端末の動作を示すフローチャートである。
【図４】本発明による携帯電話端末の動作を示すフローチャートである。
【図５】本発明による携帯電話端末の動作を示すフローチャートである。
【符号の説明】
【００６８】
１００    携帯電話端末
１１０    保存部
１１１    電話帳
１２０    集計部
１３０    受信部
１３１    通信部
１４０    キーワード保持部
１５０    第１の一覧作成部
１６０    キーワード表示部
１７０    開示用プロフィール作成部
１８０    識別部
１８１    制御部
２１０    第２の一覧作成部
３０１    検索部
３０２    リスト表示部
【図１】
2009181256.tif 000003
【図２】
2009181256.tif 000004
【図３】
2009181256.tif 000005
【図４】
2009181256.tif 000006
【図５】
2009181256.tif 000007